(57)【要約】【課題】  多機能コントロールキーの提供。【解決手段】  キーディスク及び弾性座体が結合され、並びにキーディスクの中央凸柱により中央位置の制御機能を実行でき、弾性座体周囲の駆動柱体により周囲位置の駆動機能を実行でき、こうしてコントロールキーの部品数を減少し並びにコントロールの機能制御数を増す。このほか、周囲位置の駆動を行う時、キーディスクの中央位置の中央凸柱をある角度傾かせることができ、中央位置の誤駆動を形成することがなく、反対に中央位置にタッチしキーディスクを押圧する時、その周囲位置の下向き移動距離が柱体と駆動柱体の間の距離に吸収されゆえに周囲位置の誤駆動を形成しない。【選択図】        図３
2005222516.tif 000002
【特許請求の範囲】
【請求項１】
多機能コントロールキーにおいて、弾性座体、及びキーディスクを具え、
該弾性座体は環状底部及び内部の環凸縁で組成され、該環凸縁の包囲により中央穿孔が形成され、該弾性座体は弾性片を具え、それは環凸縁に囲まれてなる中央穿孔内に収容され、該弾性片は等角度に分布し外向きに延伸された複数の第１弾性アーム、及び複数の第２弾性アームを具え、各第１弾性アームが弾性座体に接続され、各第２弾性アームの末端に下向きに延伸された駆動柱体が設けられ、且つ弾性片の中央に貫通する中央貫通孔が設けられ、各第１弾性アームの中段に貫通する固定孔が設けられ、
該キーディスクは上述の弾性座体の環凸縁の中央穿孔内に収容され、該キーディスクは底面を具え、該底面に下向きに中央凸柱が凸設され、それは上述の弾性片の中央貫通孔中に対応し挿入され、該底面に下向きに複数の柱体と複数の固定柱が凸設され、各一つの柱体が上述の各駆動柱体の根部に対応し、各固定柱が対応する上述の固定孔内に挿入され並びに各柱体とその対応する各駆動柱の根部の間に所定距離を保持させることを特徴とする、多機能コントロールキー。
【請求項２】
請求項１記載の多機能コントロールキーにおいて、弾性座体とキーディスクが一つのパネルに組み付けられ、該パネルが外表面、内表面及び開孔を具え、該開孔は該外表面から該内表面に貫通し、該弾性座体の環凸縁が該開孔内に収容され、且つ該弾性座体の環状底部が該内表面に固定され、該弾性座体の駆動柱体及びキーディスクの中央凸柱が基板に設けられた複数のキーに対応することを特徴とする、多機能コントロールキー。
【請求項３】
請求項２記載の多機能コントロールキーにおいて、弾性座体の環状底部がパネルの内表面にホットメルト接合されたことを特徴とする、多機能コントロールキー。
【請求項４】
請求項１記載の多機能コントロールキーにおいて、キーディスクの固定柱が弾性座体の固定孔内にホットメルト接合されたことを特徴とする、多機能コントロールキー。
【発明の詳細な説明】
【技術分野】
【０００１】
本発明は一種の多機能コントロールキーに係り、特に消費性電子製品、例えばコンピュータ装置、録画再生機、リモートコントローラー等に適用される多機能コントロールキーに関する。
【背景技術】
【０００２】
一般に消費性電子製品にはいわゆる多機能コントロールキーが設けられ、それは露出したキーとされ且つ一体外観のキーとされて例えば上、下、左、右等異なる機能を制御するのに用いられる。
【０００３】
比較的よく見られる多機能コントロールキーにはいわゆるフォーインワン（４−ｉｎ−１）及びファイブインワン（５−ｉｎ−１）の二種類がある。そのうちフォーインワンは一体の外観のキーに上、下、左、右の四つの機能が設けられているが、もし電子製品が四つ以上の機能制御を必要とする場合は、フォーインワンの多機能コントロールキーは要求を満足させられない。このほか、ファイブインワンは外側キーと内側キーのツーパーツ式キーの組み合わせとされ、そのうち外側キーは上、下、左、右の四つの機能を制御するのに用いられ、内側キーは中間での押圧操作によりもう一つの機能を制御するのに用いられる。ファイブインワンはフォーインワンの機能不足の問題を解決するが、内側キーの部品数が増すため、製造コストと組立プロセスに対して影響を与える。
【０００４】
このほか、特許文献１は一体外観のキーで８個の異なる機能をコントロールできるが、その使用する部品数は多く、且つ一体外観キーを押圧後に未押圧状態に戻せなくなる問題が発生しうる。
【０００５】
【特許文献１】米国特許第６，４４１，７５３号明細書
【発明の開示】
【発明が解決しようとする課題】
【０００６】
本発明の主要な目的は、一種の多機能コントロールキーを提供することにあり、それは、コントロールキーの部品数を減らすと共に、コントロールキーの機能制御数を増し、且つコントロールキーの異なる機能間の誤駆動を防止できるようにしたものとする。
【課題を解決するための手段】
【０００７】
請求項１の発明は、多機能コントロールキーにおいて、弾性座体、及びキーディスクを具え、
該弾性座体は環状底部及び内部の環凸縁で組成され、該環凸縁の包囲により中央穿孔が形成され、該弾性座体は弾性片を具え、それは環凸縁に囲まれてなる中央穿孔内に収容され、該弾性片は等角度に分布し外向きに延伸された複数の第１弾性アーム、及び複数の第２弾性アームを具え、各第１弾性アームが弾性座体に接続され、各第２弾性アームの末端に下向きに延伸された駆動柱体が設けられ、且つ弾性片の中央に貫通する中央貫通孔が設けられ、各第１弾性アームの中段に貫通する固定孔が設けられ、
該キーディスクは上述の弾性座体の環凸縁の中央穿孔内に収容され、該キーディスクは底面を具え、該底面に下向きに中央凸柱が凸設され、それは上述の弾性片の中央貫通孔中に対応し挿入され、該底面に下向きに複数の柱体と複数の固定柱が凸設され、各一つの柱体が上述の各駆動柱体の根部に対応し、各固定柱が対応する上述の固定孔内に挿入され並びに各柱体とその対応する各駆動柱の根部の間に所定距離を保持させることを特徴とする、多機能コントロールキーとしている。
請求項２の発明は、請求項１記載の多機能コントロールキーにおいて、弾性座体とキーディスクが一つのパネルに組み付けられ、該パネルが外表面、内表面及び開孔を具え、該開孔は該外表面から該内表面に貫通し、該弾性座体の環凸縁が該開孔内に収容され、且つ該弾性座体の環状底部が該内表面に固定され、該弾性座体の駆動柱体及びキーディスクの中央凸柱が基板に設けられた複数のキーに対応することを特徴とする、多機能コントロールキーとしている。
請求項３の発明は、請求項２記載の多機能コントロールキーにおいて、弾性座体の環状底部がパネルの内表面にホットメルト接合されたことを特徴とする、多機能コントロールキーとしている。
請求項４の発明は、請求項１記載の多機能コントロールキーにおいて、キーディスクの固定柱が弾性座体の固定孔内にホットメルト接合されたことを特徴とする、多機能コントロールキーとしている。
【発明の効果】
【０００８】
キーディスク及び弾性座体が結合され、並びにキーディスクの中央凸柱により中央位置の制御機能を実行でき、弾性座体周囲の駆動柱体により周囲位置の駆動機能を実行でき、こうしてコントロールキーの部品数を減少し並びにコントロールの機能制御数を増す。このほか、周囲位置の駆動を行う時、キーディスクの中央位置の中央凸柱をある角度傾かせることができ、中央位置の誤駆動を形成することがなく、反対に中央位置にタッチしキーディスクを押圧する時、その周囲位置の下向き移動距離が柱体と駆動柱体の間の距離に吸収されゆえに周囲位置の誤駆動を形成しない。
【発明を実施するための最良の形態】
【０００９】
本発明の多機能コントロールキーは、弾性座体、及びキーディスクを具えている。そのうち弾性座体は環状底部及び内部の環凸縁で組成され、且つ環凸縁の包囲により中央穿孔が形成され、別に弾性座体は弾性片を具え、それは環凸縁に囲まれてなる中央穿孔内に収容され、且つ弾性片は等角度に分布し外向きに延伸された複数の第１弾性アーム、及び複数の第２弾性アームを具え、各第１弾性アームが弾性座体に接続され、各第２弾性アームの末端に下向きに延伸された駆動柱体が設けられ、且つ弾性片の中央に貫通する中央貫通孔が設けられ、各第１弾性アームの中段に貫通する固定孔が設けられている。
【００１０】
このほか、キーディスクは上述の弾性座体の環凸縁の中央穿孔内に収容され、且つこのキーディスクは底面を具え、該底面に下向きに中央凸柱が凸設され、それは上述の弾性片の中央貫通孔中に対応し挿入され、このほか、底面に下向きに複数の柱体と複数の固定柱が凸設され、各一つの柱体が上述の各駆動柱体の根部に対応し、各固定柱が対応する上述の固定孔内に挿入され並びに各柱体とその対応する各駆動柱の根部の間に所定距離を保持させ、これによりキーディスク下圧時に、その周囲位置の下向き移動距離が前述の所定距離により吸収され、ゆえに周囲位置の誤駆動を形成しない。
【実施例１】
【００１１】
図１は本発明の実施状態表示図である。図示されるコンピュータ装置９の前方にはパネル３が組み付けられ、このパネル３に本発明の多機能コントロールキー６が組み付けられる。
【００１２】
図１、及び図１の立体分解図である図２に示されるように、上述のパネル３は外表面３１、内表面３２及び開孔３３を具え、且つ開孔３３はパネル３の外表面３１から内表面３２を貫通する。多機能コントロールキー６は弾性座体１、及びキーディスク２を具え、且つこの弾性座体１とキーディスク２は前述のパネル３に組み付けられている。
【００１３】
図２、及び本発明の立体分解図である図３、及び本発明の断面図である図４を参照されたい。上述の弾性座体１は環状底部１０、及び内部の環凸縁１１で組成され、そのうち環凸縁１１はパネル３の開孔３３内に収容され、且つ環状底部１０はホットメルト方式でパネル３の内表面３２に接合され、キーディスク２は外表面３１において露出している。
【００１４】
このほか、上述の弾性座体１の環凸縁１１に包囲されて中央穿孔１３が形成され、且つ弾性座体１に弾性片１４が設けられ、この弾性片１４は中央穿孔１３内に収容され、且つこの弾性片１４より等角度に分布する四つの第１弾性アーム１５及び四つの第２弾性アーム１６が外向きに延伸されている。そのうち各第１弾性アーム１５は弾性座体１の環状底部１０に接続され、各第２弾性アーム１６の末端１６０より下向きに駆動柱体１６１が延伸され、且つ弾性片１４の中央を貫通する中央貫通孔１４１が設けられ、この中央貫通孔１４１は環凸縁１１の中央穿孔１３と同軸にあり、且つ各第１弾性アーム１５の中段に貫通する固定孔１５１が設けられている。
【００１５】
このほか、キーディスク２は上述の弾性座体１の環凸縁１１の中央穿孔１３内に収容され、且つこのキーディスク２は底面２１を具え、底面２１より中央凸柱２４が下向きに凸設され、この中央凸柱２４は弾性片１４の中央貫通孔１４１中に挿入され、別にキーディスク２の底面２１に、中央凸柱２４を中心とし等角度に分布する四つの柱体２２と四つの固定柱２３が下向きに凸設され、各一つの柱体２２は各駆動柱体１６１の根部に対応し各固定柱２３はそれぞれ固定孔１５１に対応して挿入され並びにホットメルト方式で固定され、並びに各柱体２２とそれに対応する駆動柱体１６１根部の間に所定の距離ｄが保持される。
【００１６】
最後に、弾性座体１とキーディスク２がパネル３に組み付けられる時、弾性座体１の各駆動柱体１６１、及びキーディスク２の中央凸柱２４はそれぞれパネル３の内側に向けられ且つそれぞれ基板４に設けられた５個のキー４１〜４５に対応し、そのうちキーディスク２の中央凸柱２４は中央位置のキー４５に対応し、弾性座体１の各駆動柱体１６１は周囲位置のキー４１〜４４に対応する。
【００１７】
以上からわかるように、キーディスク２及び弾性座体１の相互結合により、並びにキーディスク２の中央凸柱２４により中央位置のキー４５の駆動機能を実行でき、弾性座体１周囲の駆動柱体１６１及びその根部が対応するキーディスク２の柱体２２により、周囲位置のキー４１〜４４の駆動機能を制御でき、こうしてコントロールキーの部品数を減らし並びにコントロールキーの機能数を増している。
【００１８】
図２、３、４、及び図５の本発明の動作表示図を参照されたい。周囲位置のキー４１〜４４を駆動する時、例えば図５のようにキー４２を駆動する時は、直接キーディスク２の側辺位置を押圧すれば、その側辺位置の柱体２２がそれに対応する駆動柱体１６１を駆動し、並びにこの駆動柱体１６１によりキー４２の駆動が実行され、これと同時に、キーディスク２の側辺位置を押圧することによりキーディスク２が傾斜状態を呈し、並びにその中央位置の中央凸柱２４がある角度傾斜するため、中央位置の誤駆動を形成しない。
【００１９】
図２、３、４及び本発明のもう一つの動作表示図である図６を参照されたい。中央位置のキー４５を駆動したい時は、直接キーディスク２の中央位置を押圧すると、中央凸柱２４が直接キー４５の駆動を実行する。注意されたいことは、このときキーディスク２の各柱体２２とその対応する弾性座体１の各駆動柱体１６１の根部の間には所定距離ｄがあり、これによりキーディスク２が下圧される時、その周囲位置の下向き移動距離は前述の所定距離ｄにより吸収され、ゆえに周囲位置のキー４１〜４４の誤駆動を形成しないことである。
【００２０】
本実施例中、弾性座体１周囲の駆動柱体１６１とキーディスク２周囲の柱体２２の数量は四つとされているが、五つ或いは六つ或いはそれ以上に増加することも可能であるが、このときは状況に応じて弾性座体１とキーディスク２の大きさを改変すればよく、ゆえにコントロールキーの機能制御数を増すことができる。
【図面の簡単な説明】
【００２１】
【図１】本発明の実施状態表示図である。
【図２】図１のパネルの立体分解図である。
【図３】本発明の立体分解図である。
【図４】本発明の断面図である。
【図５】本発明の動作表示図である。
【図６】本発明のもう一つの動作表示図である。
【符号の説明】
【００２２】
１  弾性座体        １０  環状底部          １１  環凸縁
１３  中央穿孔      １４  弾性片            １４１  中央貫通孔
１５  第１弾性アーム  １５１  固定孔        １６  第２弾性アーム
１６０  末端          １６１  駆動柱体      ２  キーディスク
２１  底面            ２２  柱体            ２３  固定柱
２４  中央凸柱        ３  パネル            ３１  外表面
３２  内表面          ３３  開孔            ４  基板
４１〜４５  キー      ６  多機能コントロールキー
９  コンピュータ装置
【図１】
2005222516.tif 000003
【図２】
2005222516.tif 000004
【図３】
2005222516.tif 000005
【図４】
2005222516.tif 000006
【図５】
2005222516.tif 000007
【図６】
2005222516.tif 000008